(57)【要約】【課題】表示品位の劣化を抑制しつつ、消費電力を抑制する表示装置を提供する。【解決手段】表示装置１は、消費電力算出手段１０、輝度調整手段１１、コントローラ１４を備える。消費電力算出手段１０は、前のフレーム、表示対象のフレームがこの順序で表示される表示データに基づいて、消費電力を算出する。輝度調整手段１１は、消費電力算出手段１０によって算出された前のフレームの消費電力と減少関数とに基づいて表示対象のフレームの輝度調整倍率を算出し、表示対象のフレームと輝度調整倍率とに基づいて輝度調整された表示対象のフレームを算出し、表示対象のフレームが前のフレームより明るいか否か判断する。表示パネル４は、輝度調整手段１１によって輝度調整された表示対象のフレームを表示する。コントローラ１４は、輝度調整手段１１によって表示対象のフレームが前のフレームより明るいと判断された場合に、表示対象のフレームに対する表示パネル４の発光を止める。【選択図】図１
2015099181.tif 000002
【特許請求の範囲】
【請求項１】
前のフレーム、表示対象のフレームがこの順序で表示される表示データに基づいて、消費電力を算出する消費電力算出手段と、
前記消費電力算出手段によって算出された前記前のフレームの消費電力と減少関数とに基づいて前記表示対象のフレームの輝度調整倍率を算出し、前記表示対象のフレームと前記輝度調整倍率とに基づいて輝度調整された前記表示対象のフレームを算出し、前記表示対象のフレームが前記前のフレームより明るいか否か判断する輝度調整手段と、
前記輝度調整手段によって輝度調整された前記表示対象のフレームを表示する表示パネルと、
前記輝度調整手段によって前記表示対象のフレームが前記前のフレームより明るいと判断された場合に、前記表示対象のフレームに対する前記表示パネルの発光を止めるコントローラと
を具備することを特徴とする表示装置。
【請求項２】
前記輝度調整手段は、前記表示対象のフレームが前記前のフレームより明るい場合に、前記消費電力算出手段によって算出された前記表示対象のフレームの消費電力がしきい値を越えるか否か判断し、
前記コントローラは、前記輝度調整手段によって前記表示対象のフレームの消費電力が前記しきい値を越えると判断された場合に、前記表示対象のフレームに対する前記表示パネルの発光を止める
ことを特徴とする請求項１記載の表示装置。
【請求項３】
前記表示データは、前記表示対象のフレームの後に表示される後のフレームをさらに具備し、
前記輝度調整手段は、前記表示対象のフレームが前記前のフレームより明るい場合に、前記前のフレームの輝度と、前記消費電力算出手段によって算出された前記表示対象のフレームの消費電力の上昇する傾きとに基づいて、前記表示対象のフレームの輝度と前記後のフレームの輝度とを推測し、前記表示対象のフレームの推測された輝度から前記後のフレームの推測された輝度を引いた輝度差が輝度差しきい値より小さいか否か判断し、
前記コントローラは、前記輝度調整手段によって前記輝度差が前記輝度差しきい値より小さいと判断された場合に、前記表示対象のフレームに対する前記表示パネルの発光を止めない
ことを特徴とする請求項１記載又は請求項２記載の表示装置。
【発明の詳細な説明】
【技術分野】
【０００１】
本発明の実施形態は、消費電力を制御する表示装置に関する。
【背景技術】
【０００２】
表示装置としては、例えば、有機エレクトロルミネッセンス表示装置などがある。表示装置を備える携帯電話、スマートフォンなどの情報端末は、例えばリチウムイオン電池などの電池で動作する。このため、表示装置の電力消費は抑制されることが望ましい。しかしながら、表示装置は、一般的に、輝度が高くなるほど、消費電力も増加する。したがって、表示装置には、消費電力を抑制するために、輝度を制御する回路が備えられる場合がある。
【先行技術文献】
【特許文献】
【０００３】
【特許文献１】特開２０１１−２５２０号公報
【発明の概要】
【発明が解決しようとする課題】
【０００４】
上記のように、表示装置には、輝度を制御する回路が備えられる。しかしながら、消費電力を抑制するために単純に輝度を調整すると、例えば輝度が一瞬明るくなるフラッシュ現象などが発生して表示品位が劣化し、表示内容が不自然になる場合がある。
【０００５】
表示前にフレームをフレームメモリに記憶し、輝度調整を行うことでフラッシュ現象を防止する技術がある。しかしながら、この場合には、フレームメモリを備えるために製造コストが増加する。
【０００６】
本発明は、上記事情に鑑みてなされたものであって、表示品位の劣化を抑制しつつ、消費電力を抑制する表示装置を提供することを目的とする。
【課題を解決するための手段】
【０００７】
本態様に係る表示装置は、消費電力算出手段、輝度調整手段、コントローラを備える。消費電力算出手段は、前のフレーム、表示対象のフレームがこの順序で表示される表示データに基づいて、消費電力を算出する。輝度調整手段は、消費電力算出手段によって算出された前のフレームの消費電力と減少関数とに基づいて表示対象のフレームの輝度調整倍率を算出し、表示対象のフレームと輝度調整倍率とに基づいて輝度調整された表示対象のフレームを算出し、表示対象のフレームが前のフレームより明るいか否か判断する。表示パネルは、輝度調整手段によって輝度調整された表示対象のフレームを表示する。コントローラは、輝度調整手段によって表示対象のフレームが前のフレームより明るいと判断された場合に、表示対象のフレームに対する表示パネルの発光を止める。
【図面の簡単な説明】
【０００８】
【図１】第１の実施形態に係る表示装置の構成の一例を示すブロック図。
【図２】消費電力から輝度調整倍率を求めるための減少関数ｆ（ｘ）の一例を示すグラフ。
【図３】発光時間調整のないフレーム表示遷移と、発光時間調整を適用したフレーム表示遷移との比較例を示す図。
【図４】ｎフレームに対する電力制御部及びタイミングコントローラの処理の一例を示すフローチャート。
【図５】第１の実施形態に係る表示装置における発光調整のタイミングと消費電力との関係の一例を示すグラフ。
【図６】黒のｎ−１フレームが黄のｎフレームに変化する場合の消費電力と輝度調整倍率との関係の一例を示すグラフ。
【図７】赤のｎ−１フレームが黄のｎフレームに変化する場合の消費電力と輝度調整倍率との関係の一例を示すグラフ。
【図８】黒のｎ−１フレームが赤のｎフレームに変化する場合の消費電力と輝度調整倍率との関係の一例を示すグラフ。
【発明を実施するための形態】
【０００９】
以下、図面を参照しながら本発明の実施形態について説明する。なお、以下の説明において、同一又は実質的に同一の機能及び構成要素については、同一符号を付し、説明を省略するか、又は、必要に応じて説明を行う。
【００１０】
各実施形態では、表示装置が有機エレクトロルミネッセンス表示装置の場合を例として説明する。
【００１１】
（第１の実施形態）
本実施形態に係る表示装置は、プロセッサからの表示データに含まれているフレームごとに発光時間を調整することにより、消費電力を抑制するとともに、フラッシュ現象を防止する。
【００１２】
図１は、本実施形態に係る表示装置１の構成の一例を示すブロック図である。
【００１３】
表示装置１は、プロセッサ２、ドライバ３、表示パネル４を備える。
【００１４】
プロセッサ２は、例えばアプリケーションプロセッサとする。プロセッサ２は、差動信号である表示データ５をドライバ３へ送る。なお、表示データ５を出力する装置は、プロセッサ２ではなく、例えばメモリ装置などの他の装置でもよい。
【００１５】
ドライバ３は、プロセッサ２からの表示データ５を表示パネル４に適した信号線電圧に変換する。ドライバ３は、レシーバ６、画質調整部７、デジタル・アナログ変換器８を備える。ドライバ３は、例えば集積回路により構成される。
【００１６】
レシーバ６は、プロセッサ２からの表示データ５を受け、表示データ５を画質調整部７へ送る。
【００１７】
画質調整部７は、レシーバ６から表示データ５を受け、表示で消費される電力を制限するために輝度を調整し、必要に応じて表示データ５のフレームの発光時間を制御する。
【００１８】
画質調整部７は、画質改善部９、消費電力算出部１０と輝度調整部１１とを含む電力制御部１２、ガンマ変換部１３、タイミングコントローラ１４を備える。
【００１９】
画質改善部９は、例えばノイズリダクションなどの処理により、表示データ５を改善し、改善された表示データ１５を消費電力算出部１０に送る。
【００２０】
消費電力算出部１０は、改善された表示データ１５と、輝度（画素値、階調データに相当）を消費電力に変換する係数とに基づいて、表示データ１５に含まれるフレーム内の各画素を表示するために消費される電力の積算値を算出し、フレームの消費電力１６を生成し、消費電力１６を輝度調整部１１に送る。
【００２１】
輝度調整部１１は、画質改善部９から改善された表示データ１５を受け、消費電力算出部１０から消費電力１６を受ける。
【００２２】
輝度調整部１１は、減少関数に基づいて、消費電力１６が増加するほど減少する輝度調整倍率を求め、表示データ１５の輝度と輝度調整倍率とを掛け合わせた出力データ１７を算出し、出力データ１７をガンマ変換部１３へ送る。
【００２３】
輝度調整倍率は、表示により消費される電力が十分に制限される程度の小さい値とし、例えば１より小さい値とする。
【００２４】
本実施形態において、輝度調整部１１は、表示対象のフレームが前のフレームより明るく、消費電力１６が所定のしきい値Ｔｈ１を越えたか否かを判断する。そして、輝度調整部１１は、表示対象のフレームが前のフレームより明るく、消費電力１６が所定のしきい値Ｔｈ１を越えた場合に、表示対象のフレームに対する黒挿入信号１８をタイミングコントローラ１４に送る。
【００２５】
しきい値Ｔｈ１としては、例えば表示対象のフレームがフラッシュ現象を引き起こさない値を設定する。
【００２６】
ガンマ変換部１３は、出力データ１７のガンマ変換などの処理を行い、ガンマ変換されたデジタル信号１９をデジタル・アナログ変換器８に送る。
【００２７】
デジタル・アナログ変換器８は、デジタル信号１９をアナログ信号２０に変換し、アナログ信号２０に基づく電圧を表示パネル４に印加する。換言すれば、デジタル・アナログ変換器８は、デジタル信号１９を、表示パネル４に書き込む電圧に変換する。
【００２８】
タイミングコントローラ１４は、輝度調整部１１から黒挿入信号１８を受けた場合に、表示パネル４における表示対象のフレームに対する発光を止める。換言すれば、タイミングコントローラ１４は、表示対象のフレームが前のフレームより明るい場合に、フラッシュ現象の発生を予防するために発光時間を調整する。
【００２９】
表示パネル４は、デジタル・アナログ変換器８によって変換された信号に基づいて、画像表示を行う。また、本実施形態において、表示パネル４は、タイミングコントローラ１４による調整にしたがって、表示対象のフレームが前のフレームより明るく、消費電力１６がしきい値Ｔｈ１を越える場合に、表示対象のフレームに対する発光を停止する。このように、表示対象のフレームに対して発光が停止されると、表示対象のフレームのその後の表示は、黒が挿入された状態となる。
【００３０】
以下で、上記のような構成を持つ表示装置１における出力データ１７の算出について具体的に説明する。以下において、フレームの表示順序は、ｎ−１フレーム、ｎフレーム、ｎ＋１フレームとする。
【００３１】
本実施形態において、表示データ１５は複数のフレームを含む。電力制御部１２は、表示データ１５に基づいて消費電力（例えば、フレームの輝度と、輝度を消費電力に変換する係数とを、掛け合わせた値の積算値）１６を算出し、算出された消費電力１６に基づいて、輝度調整倍率を算出し、表示データ１５を出力データ１７に変換する。
【００３２】
数式（１）は、表示データ１６のｎフレームに基づいて消費電力１６を算出するための計算式である。
【００３３】
Ｐｏｗｅｒn＝｛ΣＲIN(n)｝×ａR＋｛ΣＧIN(n)｝×ａG＋｛ΣＢIN(n)｝×ａB
…  （１）
この数式（１）において、Ｐｏｗｅｒnは、表示データ１６のｎフレームにおける消費電力１６である。ｎフレームに含まれる赤画素の輝度をＲIN(n)とする。ｎフレームに含まれる緑画素の輝度をＧIN(n)とする。ｎフレームに含まれる青画素の輝度をＢIN(n)とする。ａRは、赤画素の輝度を消費電力に変換する係数である。ａGは、緑画素の輝度を消費電力に変換する係数である。ａBは、青画素の輝度を消費電力に変換する係数である。
【００３４】
ｎ＋１フレームの輝度を落として消費電力を抑制するための輝度調整倍率Ｋn+1は、数式（２）で算出される。
【００３５】
Ｋn+1＝ｆ（Ｐｏｗｅｒn）  …  （２）
ここで、関数ｆ（ｘ）は、ｘ1＜ｘ2ならば、ｆ（ｘ1）≧ｆ（ｘ2）が成り立つ減少関数である。仮に、上記の変換を表示データ１５が動画像データの場合に適用すると、表示データ１５の消費電力１６は時間ｔの関数であり、関数ｆ（ｘ）も時間ｔの関数となる。
【００３６】
図２は、消費電力１６から輝度調整倍率を求めるための減少関数ｆ（ｘ）の一例を示すグラフである。消費電力１６がしきい値Ｔｈ２までは、輝度調整倍率は一定であり、例えば１であるとする。
【００３７】
消費電力１６がしきい値Ｔｈ２を越えると、消費電力１６が大きくなるほど、輝度調整倍率は低下する。
【００３８】
ｎ＋１フレームに含まれる赤画素の輝度をＲIN(n+1)とする。ｎ＋１フレームに含まれる緑画素の輝度をＧIN(n+1)とする。ｎ＋１フレームに含まれる青画素の輝度をＢIN(n+1)とする。
【００３９】
この場合、出力データ１７のｎ＋１フレームに含まれる赤画素の輝度ＲOUT(n+1)、出力データ１７のｎ＋１フレームに含まれる緑画素の輝度ＧOUT(n+1)、出力データ１７のｎ＋１フレームに含まれる青画素の輝度ＢOUT(n+1)は、数式（３）から数式（５）に基づいて算出される。
【００４０】
ＲOUT(n+1)＝Ｋn+1×ＲIN(n+1)  …  （３）
ＧOUT(n+1)＝Ｋn+1×ＧIN(n+1)  …  （４）
ＢOUT(n+1)＝Ｋn+1×ＢIN(n+1)  …  （５）
この数式（１）から（５）で表されているように、ｎ＋１フレームの輝度調整で適用される輝度調製倍率Ｋn+1は、ｎフレームに基づいて算出される。したがって、各フレームに適切な輝度調整倍率は、１フレームずつ遅れて求められる。
【００４１】
以下で、表示装置１における発光時間調整について具体的に説明する。
【００４２】
図３は、発光時間調整（黒挿入）のないフレーム表示遷移と、発光時間調整を適用したフレーム表示遷移との比較例を示す図である。
【００４３】
まず、発光時間調整のないフレーム表示遷移について説明する。
【００４４】
例えば、表示データ１５は、ｎ−１フレームまで暗い黒フレームであり、その後ｎフレーム以降で明るい黄フレームに切り替わるとする。黄のｎフレームに適用される輝度調整倍率Ｋnは、黒のｎ−１フレームの消費電力Ｐｏｗｅｒn-1に基づいて、Ｋn＝ｆ（Ｐｏｗｅｒn-1）により算出される。したがって、ｎフレームは、黄のフレームであるのに、このｎフレームに対応する輝度調整倍率Ｋnは、黒のｎ−１フレームに基づいて算出された値が用いられる。
【００４５】
黄のフレームに適した輝度調整倍率は、黄のｎフレームの消費電力Ｐｏｗｅｒnに基づいて、Ｋn+1＝ｆ（Ｐｏｗｅｒn）により算出され、黄のｎ＋１フレーム以降で用いられる。
【００４６】
ここで、黄のｎフレームの消費電力Ｐｏｗｅｒnは、黒のｎ−１フレームの消費電力Ｐｏｗｅｒn-1よりも大きい。輝度調整倍率は、消費電力が大きくなるほど小さくなる減少関数によって求められる。したがって、ｎ＋１フレームに適用される輝度調整倍率Ｋn+1は、ｎフレームに適用される輝度調整倍率Ｋnよりも小さくなる。したがって、ｎフレームは、ｎ＋１フレームよりも明るく表示される。
【００４７】
このような表示遷移は、画像の切り替わり時において、ｎフレームのみが明るい画像となり、フラッシュ現象が発生する。
【００４８】
次に、発光時間調整のあるフレーム表示遷移について説明する。
【００４９】
本実施形態においては、ｎフレームとｎ−１フレームとの消費電力、すなわち輝度を揃えることでフラッシュ現象を防止する。
【００５０】
一般的に、ｎフレームとｎ＋１フレームとを揃えるためには、表示データ１５を記憶するフレームメモリが用いられる。しかしながら、フレームメモリは、１フレーム分のデータを記憶するための容量を必要とし、製造コストが増加する。
【００５１】
本実施形態においては、例えば、暗い黒のｎ−１フレームから明るい黄のｎフレームへ切り替わる場合に、ｎフレームの発光時間を短くし、ｎフレームに対する黒挿入を実現し、輝度調整を行う。ｎ＋１フレームに対しては、ｎフレームに基づいて算出された黄フレームに対応した輝度調整倍率Ｋn+1が用いられる。
【００５２】
このように、本実施形態においては、フラッシュ現象が発生するほどｎフレームがｎ−１フレームよりも明るい場合に、発光を抑制し、黒挿入を行い、ｎ−１フレームとｎフレーム、及び、ｎフレームとそれに続くｎ＋１フレームとの間で輝度差を抑制する。
【００５３】
図４は、ｎフレームに対する電力制御部１２及びタイミングコントローラ１４の処理の一例を示すフローチャートである。なお、この図４と同様の処理は、表示データ１５の各フレームに対して表示順序にそって実行される。
【００５４】
ステップＳ１において、消費電力算出部１０は、ｎ−１フレームの消費電力及びｎフレームの現時点の消費電力を算出する。
【００５５】
ステップＳ２において、輝度調整部１１は、ｎ−１フレームの消費電力に基づいて、ｎフレームに適用される輝度調整倍率Ｋnを算出する。
【００５６】
ステップＳ３において、輝度調整部１１は、ｎ−１フレームの明るさとｎフレームの明るさとを比較し、現時点でｎフレームがｎ−１フレームより明るいか否か判断する。ｎ−１フレームの明るさとｎフレームの明るさとは、例えば、ｎ−１フレームの消費電力とｎフレームの現時点での消費電力とに基づいて比較されてもよい。また、ｎ−１フレームの明るさとｎフレームの明るさとは、例えば、ｎ−１フレームの輝度と、ｎフレームのうち現時点までに入力されたデータの輝度とに基づいて比較されてもよい。
【００５７】
ｎフレームがｎ−１フレームより明るい場合には、処理は、ステップＳ４に移動する。
【００５８】
ｎフレームがｎ−１フレームより明るくない場合には、処理は、ステップＳ５に移動する。
【００５９】
ステップＳ４において、輝度調整部１１は、ｎフレームの現時点の消費電力が、フラッシュ現象を引き起こさない観点から設定されたしきい値Ｔｈ１を越えるか否か判断する。
【００６０】
ｎフレームの現時点の消費電力がしきい値Ｔｈ１を越えない場合、処理はステップＳ５に移動する。
【００６１】
ｎフレームの現時点の消費電力がしきい値Ｔｈ１を越える場合、処理はステップＳ６に移動する。
【００６２】
ステップＳ５において、輝度調整部１１は、ｎフレームに適用される輝度調整倍率Ｋnに基づいて、ｎフレームの輝度調整を行い、出力データ１７をガンマ変換部１３に送る。その後処理は、ステップＳ７に移動する。
【００６３】
ステップＳ６において、輝度調整部１１は、黒挿入信号１８をタイミングコントローラ１４に送り、タイミングコントローラ１４は、ｎフレームについて発光を停止する。その後処理は、ステップＳ７に移動する。
【００６４】
ステップＳ７において、ｎフレームの表示が終了の場合には、ｎフレームについて処理を終了し、ｎフレームの表示が終了ではない場合には、処理はステップＳ３へ戻る。
【００６５】
図５は、本実施形態に係る表示装置１における発光調整のタイミングと消費電力との関係の一例を示すグラフである。この図５において、横軸はフレームの切り替わりと時間を示し、縦軸は消費電力を示す。フレームは、ｎ−２フレーム，…，ｎ＋２フレームという順序で表示される。
【００６６】
ｎ−２フレーム及びｎ−１フレームは、暗いフレームである。
【００６７】
図５では、ｎフレーム以降が、明るいフレームの場合と、より明るいフレームの場合とを図示している。
【００６８】
本実施形態では、ｎ−１フレームとｎフレームとの間の輝度差に応じて黒挿入量を増減する。
【００６９】
具体的には、ｎフレームがｎ−１フレームよりも明るい画像の場合、ｎフレームの画素値を積算して求められるｎフレームの現時点での消費電力は、ｎフレームの描画中に増加していく。この消費電力の増加の傾きは、ｎフレームが明るいほど大きくなる。
【００７０】
本実施形態においては、あるしきい値Ｔｈ１を設定し、このしきい値Ｔｈ１をｎフレームの消費電力が越えるタイミングで発光を停止する。ｎフレームが明るいフレームの場合には、ｎフレームの消費電力がしきい値Ｔｈ１を越えるタイミングが遅くなり、黒挿入量が少なくなる。ｎフレームがより明るいフレームの場合には、ｎフレームの消費電力がしきい値Ｔｈ１を越えるタイミングが早く、黒挿入量が多くなる。したがって、ｎフレームの消費電力がしきい値Ｔｈ１を越えたタイミングで発光を停止することにより、明るさに応じた黒挿入量を自動的に決定することができる。
【００７１】
以上説明した本実施形態に係る表示装置１においては、消費電力を低減させることができ、フレッシュ現象を抑制することができ、フレームの輝度に応じて黒挿入量を調整することができ、表示品質の低下を防止することができる。
【００７２】
（第２の実施形態）
本実施形態においては、上記第１の実施形態の変形例について説明する。
【００７３】
上記第１の実施形態においては、ｎ−１フレームとｎフレームとの消費電力の差が少ない場合には、ｎフレームの黒挿入量も少なくなるように調整される。
【００７４】
しかしながら、わずかな黒挿入量であっても、表示において黒挿入が行われると、この黒挿入がユーザに視認され、例えばちらつきが発生し、表示品質が低下する場合がある。
【００７５】
そこで、本実施形態においては、隣り合うフレームの間の輝度差がフレッシュ現象を生じない程度に小さい場合に、黒挿入をしない表示装置１について説明する。
【００７６】
表示対象のｎフレームの表示途中で、ｎフレームとｎ＋１フレームとの間の輝度差がどの程度であるか、推測することができる。
【００７７】
例えば、本実施形態において、輝度調整部１１は、ｎ−１フレームの輝度とｎフレームの消費電力の変化とに基づいて、ｎフレームの輝度とｎ＋１フレームの輝度とを推測する。
【００７８】
そして、輝度調整部１１は、推測されたｎフレームの輝度から推測されたｎ＋１フレームの輝度を引き算した輝度差が、ユーザにフラッシュ現象と視認されない程度の場合に、ｎフレームに対する発光の停止（黒挿入）を行わない制御を行う。
【００７９】
図６は、黒のｎ−１フレームが黄のｎフレームに変化する場合の消費電力と輝度調整倍率との関係の例を示すグラフである。
【００８０】
例えば、輝度調整部１１は、黒のｎ−１フレームの輝度と上記図５の消費電力の変化の傾きとから、ｎフレームの輝度Ａとｎ＋１フレームの輝度Ｂとを推測する。ここで、例えば、ｎ＋１フレームの輝度Ｂは、推測されたｎフレームの輝度Ａに、この推測されたｎフレームの輝度に基づいて算出される輝度調整倍率を掛けた値としてもよい。
【００８１】
輝度調整部１１は、この推測されたｎフレームの輝度Ａから推測されたｎ＋１フレームの輝度Ｂを引き算した値に基づいて輝度差Ｃを算出する。
【００８２】
輝度調整部１１は、輝度差Ｃがしきい値Ｔｈ３より小さい場合に、黒挿入信号１８をタイミングコントローラ１４に送らない制御を行う。
【００８３】
図７は、赤のｎ−１フレームが黄のｎフレームに変化する場合の消費電力と輝度調整倍率との関係の一例を示すグラフである。
【００８４】
この図７において、輝度調整部１１は、黄のｎフレームの表示途中で、赤のｎ−１フレームの輝度とｎフレームの消費電力の変化の傾きから、ｎフレームの輝度Ａとｎ＋１フレームの輝度Ｂとを推測し、推測されたｎフレームの輝度から推測されたｎ＋１フレームの輝度を引き算した輝度差Ｃを推測する。輝度調整部１１は、表示対象の黄のｎフレームが前の赤のｎ−１フレームより明るいが、輝度差Ｃがしきい値Ｔｈ３より小さいため、黒挿入を許可することなく、黒挿入信号１８をタイミングコントローラ１４に送らない。
【００８５】
図８は、黒のｎ−１フレームが赤のｎフレームに変化する場合の消費電力と輝度調整倍率との関係の一例を示すグラフである。
【００８６】
この図８において、輝度調整部１１は、ｎフレームの表示途中で、黒のｎ−１フレームの輝度とｎフレームの消費電力の変化の傾きとから、ｎフレームの輝度Ａとｎ＋１フレームの輝度Ｂとを推測し、推測されたｎフレームの輝度とから推測されたｎ＋１フレームの輝度を引き算した輝度差Ｃを推測する。輝度調整部１１は、表示対象の赤のｎフレームが前の黒のｎ−１フレームより明るいが、輝度差Ｃがしきい値Ｔｈ３より小さいため、黒挿入を許可することなく、黒挿入信号１８をタイミングコントローラ１４に送らない。
【００８７】
以上説明した本実施形態においては、表示対象のｎフレームと、このｎフレームの後のｎ＋１フレームとの間の輝度差が推測され、黒挿入を行うか否か及び黒挿入量を判断し、フラッシュ現象が視認されない程度の輝度差Ｃの場合に、黒挿入を実行せず、黒挿入量を最小限にとどめる。
【００８８】
したがって、本実施形態においては、フレームメモリを備えることなく、消費電力を抑えることができ、フラッシュ現象を防止することができ、画質の劣化を防止することができる。
【００８９】
（第３の実施形態）
上記第１及び第２の実施形態においては、フレームが赤画素、緑画素、青画素から構成される場合の例を説明している。
【００９０】
しかしながら、フレームは、他の色画素を含むとしてもよい。
【００９１】
より具体的には、例えばフレームは、赤画素、緑画素、青画素、白画素から構成されてもよい。
【００９２】
この場合、上記のｎフレームの消費電力Ｐｏｗｅｒnは、数式（６）に基づいて算出される。
【００９３】
Ｐｏｗｅｒn＝｛ΣＲIN(n)｝×ａR＋｛ΣＧIN(n)｝×ａG＋｛ΣＢIN(n)｝×ａB
＋｛ΣＷIN(n)｝×ａW                …  （６）
ここで、ｎフレームに含まれる白画素の輝度をＷIN(n)とする。ａWは、白画素の輝度を消費電力に変換する係数である。
【００９４】
出力データ１７のｎ＋１フレームに含まれる白画素の輝度ＷOUT(n+1)は、数式（７）に基づいて算出される。
【００９５】
ＷOUT(n+1)＝Ｋn+1×ＷIN(n+1)  …  （７）
輝度調整部１１によってこのような計算を実行することにより、白画素を含むフレームについても、上記第１及び第２の実施形態と同様の効果を得ることができる。
【００９６】
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００９７】
１，２１…表示装置、２…プロセッサ、３…ドライバ、４…表示パネル、５，１５…表示データ、６…レシーバ、７…画素調整部、８…デジタル・アナログ変換器、９…画質改善部、１０…消費電力算出部、１１…輝度調整部、１２…電力制御部、１３…ガンマ変換部、１４…タイミングコントローラ、１６…消費電力、１７…出力データ、１８…黒挿入信号、１９…デジタル信号、２０…アナログ信号。
【図１】
2015099181.tif 000003
【図２】
2015099181.tif 000004
【図３】
2015099181.tif 000005
【図４】
2015099181.tif 000006
【図５】
2015099181.tif 000007
【図６】
2015099181.tif 000008
【図７】
2015099181.tif 000009
【図８】
2015099181.tif 000010